(57)【要約】【課題】振り出し操作により液が飛び散ること及び栓孔に手が触れることを回避することが可能な中栓及び中栓付き振り出し容器を提供する。【解決手段】容器本体２の口頸部へ嵌合するための栓筒部３６と、栓筒部３６の上面を閉塞するように栓筒部３６の上端に連結されるとともに、中心部に栓孔２４を開口した栓盤部２２を有し、かつ栓孔２４を囲む囲壁部２６を栓盤部２２の上面から起立してなる閉塞部２０と、を具備する中栓であって、上記閉塞部２０は、上記栓盤部２２を栓孔２４から離れるに従って隆起させて、この隆起部２８が囲壁部２６に連続するように形成し、栓孔２４の孔縁から囲壁部２６の上端面２６ａに至る閉塞部の内面を、略椀状の凹曲面３０として、凹曲面３０の最も低い場所に栓孔２４が位置するように形成されている。【選択図】図１
2015145255.tif 000002
【特許請求の範囲】
【請求項１】
容器本体(２)の口頸部へ嵌合するための栓筒部(３６)と、
栓筒部(３６)の上面を閉塞するように栓筒部(３６)の上端に連結されるとともに、中心部に栓孔(２４)を開口した栓盤部(２２)を有し、かつ栓孔(２４)を囲む囲壁部(２６)を栓盤部(２２)の上面から起立してなる閉塞部(２０)と、
を具備する中栓であって、
上記閉塞部(２０)は、上記栓盤部(２２)を栓孔(２４)から離れるに従って隆起させて、この隆起部(２８)が囲壁部(２６)に連続するように形成し、栓孔(２４)の孔縁から囲壁部(２６)の上端面(２６ａ)に至る閉塞部の内面を、略椀状の凹曲面(３０)として、凹曲面(３０)の最も低い場所に栓孔(２４)が位置するように形成されていることを特徴とする、中栓。
【請求項２】
上記凹曲面(３０)の少なくとも外半部は、栓孔(２４)側から囲壁部(２６)の上端面(２６ａ)付近まで下外方へ弯曲する断面円弧形状であることを特徴とする、請求項１記載の中栓。
【請求項３】
上記凹曲面(３０)は、栓孔(２４)の孔縁から囲壁部(２６)の上端面(２６ａ)内縁に亘る全体で下外方への断面円弧状に弯曲していることを特徴とする、請求項２記載の中栓。
【請求項４】
上記凹曲面(３０)のうち断面円弧状の部分の曲率半径が４ｍｍから８ｍｍの範囲であることを特徴とする、請求項２又は請求項３記載の中栓。
【請求項５】
請求項１から請求項４の何れかの中栓(１０)を、容器本体(２)の口頸部(６)に装着してなる、中栓付き振り出し容器。
【発明の詳細な説明】
【技術分野】
【０００１】
本発明は、中栓及び中栓付き振り出し容器に関する。
【背景技術】
【０００２】
化粧料容器の口頸部に上方へ栓孔を開口する栓筒を有する中栓を嵌合させてなり、振り出し操作により内容液を取り出すものが知られている（特許文献１の段落０００２参照）。
【先行技術文献】
【特許文献】
【０００３】
【特許文献１】特開平９−３０９５５７
【発明の概要】
【発明が解決しようとする課題】
【０００４】
特許文献１の場合、例えば手のひらに向けて逆さまにした容器を振って内容液を振り出そうとすると、内容液をうまく受け止められずに内容液が飛び散るおそれがあった。また栓筒の栓孔がむき出しになっており、振り出し操作の際に手の平が当たると栓孔の衛生を保つことができない。なお、化粧水などの容器はガラス瓶が多く、指で押すことができないために、振り出して内容液を吐出させるが、高齢者などが使用する場合には容器が重く、これを持つ腕への負担が大きい。
【０００５】
本発明の第１の目的は、振り出し操作により液が飛び散ること及び栓孔に手が触れることを回避することが可能な中栓及び中栓付き振り出し容器を提供することである。
本発明の第２の目的は、使い勝手がよい中栓及び中栓付き振り出し容器を提供することである。
本発明の第３の目的は、振り出し操作をしたときの内面への液体の付着量が少ない中栓及び中栓付き振り出し容器を提供することである。
【課題を解決するための手段】
【０００６】
第１の手段は、容器本体２の口頸部へ嵌合するための栓筒部３６と、
栓筒部３６の上面を閉塞するように栓筒部３６の上端に連結されるとともに、中心部に栓孔２４を開口した栓盤部２２を有し、かつ栓孔２４を囲む囲壁部２６を栓盤部２２の上面から起立してなる閉塞部２０と、
を具備する中栓であって、
上記閉塞部２０は、上記栓盤部２２を栓孔２４から離れるに従って隆起させて、この隆起部２８が囲壁部２６に連続するように形成し、栓孔２４の孔縁から囲壁部２６の上端面２６ａに至る閉塞部の内面を、略椀状の凹曲面３０として、凹曲面３０の最も低い場所に栓孔２４が位置するように形成されている。
【０００７】
本手段では、図１に示すように中栓１０の閉塞部２０において栓盤部２２の栓孔２４の回りを囲壁部が囲む構成を提案している。これにより、栓孔２４に手が触れることを回避できる。また閉塞部２０の内面を、略椀状の凹曲面３０としたから、飛散液体が付着しにくい。なお、凹曲面といっても、面の全ての部分が弯曲していなくともよい。
【０００８】
第２の手段は、第１の手段を有し、かつ
上記凹曲面３０の少なくとも外半部は、栓孔２４側から囲壁部２６の上端面２６ａ付近まで下外方へ弯曲する断面円弧形状である。
【０００９】
本手段では、図３又は図６に示すように凹曲面の少なくとも外半部を断面円弧状としている。これにより、参考例である図８（Ｂ）に示すように閉塞部の外側に垂直面がある場合に比べて飛散液体が付着しにくい。
【００１０】
第３の手段は、第２の手段を有し、かつ
上記凹曲面３０は、栓孔２４の孔縁から囲壁部２６の上端面２６ａ内縁に亘る全体で下外方への断面円弧状に弯曲している。
【００１１】
本手段では、図３に示すように凹曲面３０が栓孔２４の孔縁から囲壁部２６の上端面２６ａ内縁に亘る全体で下外方へ弯曲する形状を提案している。この構成では、曲率半径を大きくとることができる。実験結果からはこの形態は液が付着しにくいという点で最も優れている。
【００１２】
第４の手段は、第２の手段又は第３の手段を有し、かつ上記凹曲面３０のうち断面円弧状の部分の曲率半径が４ｍｍから８ｍｍの範囲である。  
【００１３】
本手段では、曲率半径の好適な数値の具体例を提案している。
【００１４】
第５の手段は、第１の手段から第４の手段のいずれかの中栓１０を、容器本体２の口頸部６に装着してなる、中栓付き振り出し容器である。
【００１５】
本手段は、上記各手段に記載した構成の中栓を、振り出し容器に適用することを提案している。これにより栓孔に触れずに中栓を手のひらに当てて振り出し操作ができるので、使い勝手がよい。
【発明の効果】
【００１６】
第１の手段及び第５の手段に係る発明によれば、栓孔２４を囲む囲壁部２６を設けたので、栓孔２４が手に触れることを防止することができ、囲壁部の先端面に手のひらを当てることで栓孔２４から注出される液体の飛散を防止することができ、かつ閉塞部２０の内面を、略椀状の凹曲面３０としたから液体が付着しにくい。
第２の手段に係る発明によれば、凹曲面３０の少なくとも外半部は、栓孔２４側から囲壁部２６の上端面２６ａ付近まで下外方へ弯曲する断面円弧形状であるから、栓孔を囲む垂直壁部に液体が当たる場合に比べて液の勢いが減殺されず、液体が付着しにくい。
第３の手段に係る発明によれば、凹曲面３０は、栓孔２４の孔縁から囲壁部２６の上端面２６ａ内縁に亘る全体で下外方へ弯曲しているから、曲率半径を大きくとることができる。
第４の手段に係る発明によれば、凹曲面３０のうち断面円弧状の部分の曲率半径が４ｍｍから８ｍｍの範囲であるから、液体の付着量を低減できる。
【図面の簡単な説明】
【００１７】
【図１】本発明の第１実施形態に係る中栓付き振り出し容器の一部断面正面図である。
【図２】図１の振り出し容器の中栓の平面図である。
【図３】図２の中栓の縦断面図である。
【図４】図２の中栓の変形例の縦断面図である。
【図５】図１の中栓付き振り出し容器の作用の説明図である。
【図６】本発明の第２実施形態に係る中栓の縦断面図である。
【図７】本発明に係る中栓付き振り出し容器の実験に関する説明図である。
【図８】本発明の参考例の断面図であり、同図（Ａ）は、閉塞部の内面をテーパ状面にした態様、同図（Ｂ）は、閉塞部の内面の角部付近に中程度の円弧状弯曲面を形成した形態、同図（Ｃ）は、閉塞部の内面の角部付近に小さな円弧状弯曲面を形成した形態をそれぞれ示している。
【図９】図８（Ａ）及び図８（Ｂ）の態様の説明図である。
【発明を実施するための最良の形態】
【００１８】
図１から図５は、本発明の第１の実施形態に係る中栓付き振り出し容器を示している。この容器は、容器本体２と、中栓１０と、キャップ４０とで構成されている。容器本体は合成樹脂、陶器、金属及びガラス等で構成され、それ以外の部材は合成樹脂で形成することができる。
【００１９】
容器本体２は、胴部４と胴部４の上端から肩部を介して起立する口頸部６とを有する。
【００２０】
中栓１０は、装着部１２と閉塞部２０と栓筒部３６とで構成される。
【００２１】
上記装着部１２は、容器本体２の口頸部６の外面へ嵌合可能な装着筒部１４の上端から内向きフランジ１６を突出している。上記装着筒部１４の内面には抜け止め用リブ１５が形成されている。
【００２２】
上記閉塞部２０は、上記内向きフランジ１６と連続しかつ中央部に栓孔２４を有する栓盤部２２と、この栓盤部２２の外周から起立する囲壁部２６とを具備し、上記栓盤部２２を、栓孔２４の孔縁から離れるに従って隆起させて、この隆起部２８が囲壁部２６に連続するようにしている。尚、前記隆起部２８は、閉塞部２０の内面を形成している。
【００２３】
上記閉塞部２０の内面は、栓孔２４の孔縁から囲壁部２６の上端面２６ａに至るまで略椀状の凹曲面３０に形成している。凹曲面３０の上端部と前記上端面２６ｂとの接続部分は、凸曲面に形成されている。栓孔２４は凹曲面３０の最も低い場所に位置する。本実施形態において、凹曲面３０は、栓孔２４の孔縁から囲壁部２６の上端面２６ａ内縁に亘る全体で下外方への断面円弧状に弯曲している。
【００２４】
本実施形態では、凹曲面３０の曲率半径Ｒは栓孔２４から囲壁部２６の上端までの高さＨより大きくなっている。
【００２５】
上記栓筒部３６は、栓盤部２２の外周部に連結されており、口頸部６内面に液密に嵌合することが可能に形成されている。
【００２６】
キャップ４０は、頂壁部４２の外周部から垂下するキャップ周壁部４４を、口頸部６の外面に嵌合（図示例では螺合）させるとともに、頂壁部４２から垂下する係止突起４８を、上記栓孔２４内に液密に嵌合させている。図示例では上記キャップ周壁部４４の上下方向中間部内面に下向きの第１係止段部４６が形成されており、この第１係止段部４６と口頸部６の上端との間に内向きフランジ１６を挟持できるようにしている。
【００２７】
図４は、本実施形態の変形例であり、栓筒部３６の内側に栓盤部２２から隆起部２８に亘る肉抜き部２３を設けている。
【００２８】
上記構成において、キャップ４０を口頸部６から外し、容器本体２を逆さまにして振り、栓孔２４から液体を振り出すことができる。その際には中栓１０の閉塞部２０の囲壁部２６を手のひらに当てて振り出すとよく、これにより内容物の飛散が防止できる。また中栓１０に当てた手によって、振り出し容器を持つ腕の上下運動を補助することができ、片腕にかかっていた負担を軽減することができる。もちろん中栓に手を当てずに振り出しても従来品と変わらない吐出が可能である。また上記操作において、囲壁部２６が栓孔２４を囲んでいるので、栓孔２４を清潔に保つことができる。
【００２９】
さらに閉塞部２０の内面は、図３に示す凹曲面３０であり、その上部が上外方へ直線状または凸曲面状に傾斜する形状となっており、上記振り出し操作の際に内容液Ｌが凹曲面３０に浅く当たるから（図５参照）、凹曲面３０の液の付着量を低減できる。これに対して、参考例である図８（Ｂ）（Ｃ）のように閉塞部２０の上側部分の内面を垂直とし、この垂直部分と栓盤部２２との接続部分である基端部の曲率半径を小さくした場合と比較すると、この垂直部分に対して液体が深い角度で当たり（図９（Ｂ）参照）、勢いが減殺されるので、付着量が多くなる。また、閉塞部２０の内面を凹曲面とせず、図８（Ａ）に示すようにテーパ状とした場合は付着量が多くなる。これは、飛散液体が閉塞部の内面に対して浅い角度で接することで内面への液体の粘着力の寄与が強く作用するためと推測される（図９（Ａ）参照）。
【００３０】
以下本発明の他の実施形態を説明する。その説明において、第１実施形態と同じ構造に関しては解説を省略する。
【００３１】
図６は、本発明の第２実施形態に係る中栓１０を示している。本実施形態では、閉塞部２０の凹曲面３０を、栓孔２４の孔縁と連続する環状の平坦面部３０ａと、凹曲面３０の過半部を占める、下外方へ膨らむ第１弯曲面部３０ｂと、囲壁部２６の上端面２６ａと連続し、上内方へ膨らむ第２弯曲面部３０ｃとで形成している。第１弯曲面部３０ｂは断面円弧状である。第１弯曲面部３０ｂの曲率半径は、栓孔２４から囲壁部２６の上端までの高さＨよりも小さく、その高さの半分よりも大きい。
【００３２】
以下、本発明に係る中栓付き振り出し容器に関して行った実験に関して説明する。実験の目的は、中栓の形状条件（凹曲面の曲率半径の大きさ）及び使用条件を変えて、振り出し操作をしたときの凹曲面への液体の付着量を調べることである。
【００３３】
中栓の形状条件に関しては、図３に示す閉塞部内面の曲率半径が７．５ｍｍのもの（試験体４）、及び、図６に示す第１弯曲面部３０ｂの曲率半径が４ｍｍのもの（試験体３）の他に、比較例として、図８（Ｂ）に示す基端部の曲率半径が２ｍｍのもの（試験体２）、図８（Ｃ）に示す基端部の曲率半径が０．２ｍｍのもの（試験体１）、及び、図８（Ａ）に示す閉塞部内面がテーパ状であるもの（試験体５）を用いた。なお、栓孔２４から囲壁部の上端部までの高さは、試験体１、２が約４ｍｍ、試験体３〜５が約５ｍｍである。
【００３４】
使用条件として、図７に示す如く、傾け角度を４５°と９０°とした場合、振り出し速度が速い場合と遅い場合、吐出方法として手のひらに当てながら吐出する場合と手のひらに当てずに吐出する場合を採用した。
【００３５】
これらの条件を組み合わせて、振り出し操作を行い、中栓付近に付着した水滴の重量を測定した。測定値は各種の組み合わせそれぞれに関して１０回の測定の平均値を算出した。その結果を次の表１に示す。
【００３６】
【表１】
2015145255.tif 000003
【００３７】
その結果として、本願の試験体３（本願第２実施形態）及び試験体４（本願第１実施形態）では他の試験体より水滴の付着量が少なく、とくに試験体４が最適であることが判った。これにより、曲率半径の範囲は、４ｍｍから８ｍｍが良好であると考えられる。
【符号の説明】
【００３８】
２…容器本体  ４…胴部  ６…口頸部  
１０…中栓  １２…装着部  １４…装着筒部  １５…抜け止め用リブ
１６…内向きフランジ
２０…閉塞部  ２２…栓盤部  ２３…肉抜き部
２４…栓孔  ２６…囲壁部  ２６ａ…上端部
２７…突部  ２８…隆起部
３０…凹曲面  ３０ａ…平坦面部  ３０ｂ…第１弯曲面部  ３０ｃ…第２弯曲面部
３６…栓筒部  
４０…キャップ  ４２…頂壁部  ４４…キャップ周壁部  
４６…第１係止段部
４８…係止突起  
Ｃ…コーナー  Ｆ…内面  Ｏ…曲率中心  Ｒ…曲率半径  Ｈ…囲壁部上端の高さ
【図１】
2015145255.tif 000004
【図２】
2015145255.tif 000005
【図３】
2015145255.tif 000006
【図４】
2015145255.tif 000007
【図５】
2015145255.tif 000008
【図６】
2015145255.tif 000009
【図７】
2015145255.tif 000010
【図８】
2015145255.tif 000011
【図９】
2015145255.tif 000012